(57)【要約】【課題】花束を花包装材を用いて包装する際に、花包装材を予め設定された形状にできる花包装材を提供すること。【解決手段】花束Ｆを包装する略多角形状をなすシート材である花包装材１において、互いに同じ長さ寸法で非平行をなす２つの辺が花束Ｆを包装するときの基準となる基準辺６，７として形成され、両基準辺６，７の少なくとも一方には、基準辺６，７同士を接着する接着剤２が設けられ、基準辺６，７同士が互いに重ね合わされて接着されることで、花包装材１が略円錐形状に成形される。【選択図】図１
2011225271.tif 000002
【特許請求の範囲】
【請求項１】
花束を包装する略多角形状をなすシート材である花包装材において、互いに同じ長さ寸法で非平行をなす２つの辺が花束を包装するときの基準となる基準辺として形成され、該両基準辺の少なくとも一方には、該基準辺同士を接着する接着剤が設けられ、該基準辺同士が互いに重ね合わされて接着されることで、前記花包装材が略円錐形状に成形されることを特徴とする花包装材。
【請求項２】
前記両基準辺の間には、花束を包装したときに該花束の花びら部を装飾する形状の装飾辺が形成されることを特徴とする請求項１に記載の花包装材。
【請求項３】
前記両基準辺の間には、花束を包装したときに該花束の茎部を露出させるように切り欠かれた切欠辺が形成されることを特徴とする請求項１または２に記載の花包装材。
【請求項４】
前記両基準辺の少なくとも一方には、該基準辺を補強する補強部が設けられることを特徴とする請求項１ないし３のいずれかに記載の花包装材。
【請求項５】
前記両基準辺の少なくとも一方は、折り畳まれた折畳部となっており、該折畳部に前記接着剤が設けられることを特徴とする請求項１ないし４のいずれかに記載の花包装材。
【発明の詳細な説明】
【技術分野】
【０００１】
本発明は、花束を包装する略多角形状をなすシート材である花包装材に関する。
【背景技術】
【０００２】
従来、花束の棒状物の外側をシート基材でロール状に覆い、このシート基材の一方面に付着させた粘着剤を用いて一方面を他方面に粘着させる包装シートがある（例えば、特許文献１参照）。
【先行技術文献】
【特許文献】
【０００３】
【特許文献１】特開平６−２５５６７０号公報
【発明の概要】
【発明が解決しようとする課題】
【０００４】
しかしながら、特許文献１に記載の包装シートにあっては、花束の包み方、特に包装シート（花包装材）の巻き方には個人差があり、同じ形状及び同じ大きさの包装シートを用いても、出来上がった花束の形状が各人で異なってしまうという問題がある。特に、花束は出来上がりの見栄えが重要であり、いずれの者が包装しても見栄えよく包装できる花包装材が欲しいという需要者側の要望がある。
【０００５】
本発明は、このような問題点に着目してなされたもので、花束を花包装材を用いて包装する際に、花包装材を予め設定された形状にできる花包装材を提供することを目的とする。
【課題を解決するための手段】
【０００６】
前記課題を解決するために、本発明の花包装材は、
花束を包装する略多角形状をなすシート材である花包装材において、互いに同じ長さ寸法で非平行をなす２つの辺が花束を包装するときの基準となる基準辺として形成され、該両基準辺の少なくとも一方には、該基準辺同士を接着する接着剤が設けられ、該基準辺同士が互いに重ね合わされて接着されることで、前記花包装材が略円錐形状に成形されることを特徴としている。
この特徴によれば、花束を花包装材を用いて包装する際に、基準辺同士が同じ長さ寸法であるため重ね合わせ易くなっており、かつ接着剤により略円錐形状に成形された花包装材の形状を容易に保持することができ、両基準辺が花束を包装する使用者の目印となって、いずれの者が包装しても花包装材を予め設定された形状、特に、花束を包装したときに開口縁の形状を見栄えよく形成できる。
【０００７】
本発明の花包装材は、
前記両基準辺の間には、花束を包装したときに該花束の花びら部を装飾する形状の装飾辺が形成されることを特徴としている。
この特徴によれば、花束を包装したときに花束の花びら部の周囲に装飾辺が配置されて花束を見栄えよく包装できる。
【０００８】
本発明の花包装材は、
前記両基準辺の間には、花束を包装したときに該花束の茎部を露出させるように切り欠かれた切欠辺が形成されることを特徴としている。
この特徴によれば、花束を包装したときに予め設定された形状の切欠辺にして、この切欠辺による開口部から花束の茎部を露出させることができる。
【０００９】
本発明の花包装材は、
前記両基準辺の少なくとも一方には、該基準辺を補強する補強部が設けられることを特徴としている。
この特徴によれば、基準辺が補強部により補強されて花包装材が破れにくくなり、かつ花束を包装する際に、基準辺同士を重ね合わせ易くなる。
【００１０】
本発明の花包装材は、
前記両基準辺の少なくとも一方は、折り畳まれた折畳部となっており、該折畳部に前記接着剤が設けられることを特徴としている。
この特徴によれば、花束を包装する前は、折畳部により接着剤が閉塞されており、他の部材に花包装材が接着される虞がなく、この折畳部を開くことで接着剤が露呈して基準辺同士の接着に用いることができる。
【図面の簡単な説明】
【００１１】
【図１】実施例１における花包装材を示す平面図である。
【図２】花束を包装したとき花包装材を示す斜視図である。
【図３】実施例２における花包装材を示す平面図である。
【図４】実施例３における花包装材を示す平面図である。
【図５】実施例４における花包装材を示す平面図である。
【図６】花束を包装したとき花包装材を示す斜視図である。
【図７】実施例５における花包装材を示す平面図である。
【図８】花束を包装したとき花包装材を示す斜視図である。
【図９】実施例６における花包装材を示す平面図である。
【図１０】花束を包装したとき花包装材を示す斜視図である。
【発明を実施するための形態】
【００１２】
本発明に係る花包装材を実施するための形態を実施例に基づいて以下に説明する。
【実施例１】
【００１３】
実施例１に係る花包装材につき、図１及び図２を参照して説明する。図１の符号１は、本発明の適用された花包装材である。尚、図１の紙面手前側が花包装材１の裏面側として説明する。この花包装材１は、略多角形状をなすシート材となっており、ポリプロピレン等の材質で形成された透明なプラスチィックフィルムとなっている。この花包装材１を花束Ｆに巻き付けて包装するようになっている。
【００１４】
図１に示すように、花包装材１を製造する際には、略長方形状をなすシート材の一辺の近傍の裏面側に接着剤２を塗布するとともに、この接着剤２の近傍に剥離剤３を塗布し、折り畳んで折畳部４を形成する（図１（ａ）参照）。この折畳部４を形成したときにシート材の形状は略正方形状をなすようにする。そして、この正方形状のシート材の四隅の角部の１つを切り欠いて切欠辺５を形成する。
【００１５】
このように製造された花包装材１において、互いに非平行をなす２つの辺６，７が花束Ｆを包装するときの基準となる基準辺６，７として形成される。そして、この第１基準辺６の長さ寸法Ｌ１と、第２基準辺７の長さ寸法Ｌ２は、互いに同じ長さ寸法となっている（Ｌ１＝Ｌ２）。
【００１６】
尚、折畳部４の谷部が第１基準辺６となっている。また、切欠辺５は両基準辺６，７の間に配置されるとともに、両基準辺６，７の間においける切欠辺５の対角側には、花束Ｆを包装したときに開口縁となる開口辺８が設けられる。
【００１７】
花束Ｆを花包装材１を用いて包装する際には、折畳部４を開いて接着剤２を露呈させる（図１（ｂ）参照）。尚、折畳部４が折り畳まれているときに接着剤２は剥離剤３に付着しているため容易に折畳部４を開くことができる。そして、使用者は花包装材１の裏面側に花束Ｆを配置する。花束Ｆを配置する際には、花包装材１の対角線上に斜めに置くようにする。
【００１８】
そして、花束Ｆに花包装材１を巻き付ける。このときに基準辺６，７同士が互いに重なり合うようにする。すると、第１基準辺６の接着剤２が塗布された部位と、第２基準辺７の部位とが互いに接着される。
【００１９】
図２に示すように、花束Ｆを包装した花包装材１は略円錐形状をなし、この花包装材１下端側（円錐の頂点側）の切欠辺５から花束Ｆの茎部Ｆｂが露出される。この切欠辺５の開口部９の形状は、略涙形状をなしており、見栄えよく茎部Ｆｂの開口部９を形成できる。尚、この開口部９の形状は、花包装材１の製造者が予め設定した形状となっている。
【００２０】
また、花束Ｆを包装したときに花束Ｆの花びら部Ｆａの周囲に配置される開口縁部１０の形状は、左右対称の均整のとれた形状に成形され、開口縁部１０における基準辺６，７が重なり合った箇所に段差が生じないようになっている。尚、この開口縁部１０の形状は、花包装材１の製造者が予め設定した形状となっている。
【００２１】
このように本発明の花包装材１では、花束Ｆを花包装材１を用いて包装する際に、基準辺６，７同士が同じ長さ寸法であるため重ね合わせ易くなっており、かつ接着剤２により略円錐形状に成形された花包装材１の形状を容易に保持することができ、両基準辺６，７が花束Ｆを包装する使用者の目印となって、いずれの者が包装しても花包装材１を予め設定された形状、特に、花束Ｆを包装したときに開口縁部１０の形状を見栄えよく形成できる。
【００２２】
また、両基準辺６，７の間には、花束Ｆを包装したときに花束Ｆの茎部Ｆｂを露出させるように切り欠かれた切欠辺５が形成されることで、花束Ｆを包装したときに予め設定された形状の切欠辺５にして、この切欠辺５による開口部９から花束Ｆの茎部Ｆｂを露出させることができる。
【００２３】
また、折畳部４に接着剤２が設けられることで、花束Ｆを包装する前は、折畳部４により接着剤２が閉塞されており、他の部材に花包装材１が接着される虞がなく、この折畳部４を開くことで接着剤２が露呈して基準辺６，７同士の接着に用いることができる。
【実施例２】
【００２４】
次に、実施例２に係る花包装材１ａにつき、図３を参照して説明する。尚、図３の紙面手前側が花包装材１ａの裏面側として説明する。図３に示すように、第１基準辺６に設けられた折畳部４には、接着剤２が塗布されているとともに、この接着剤２を閉塞する剥離シール１１が設けられている。このように剥離シール１１により接着剤２を閉塞することで、花束Ｆを包装する使用者が容易に第１基準辺６の位置を視認することができる。
【実施例３】
【００２５】
次に、実施例３に係る花包装材１ｂにつき、図４を参照して説明する。尚、図４の紙面手前側が花包装材１ｂの裏面側として説明する。図４に示すように、花包装材１ｂにおける第２基準辺７の表面側に、接着剤２が塗布されている。この接着剤２は実施例２で示したように剥離シール１１により閉塞するようにしてもよい。また、第１基準辺６及び第２基準辺７には、これら各基準辺６，７と補形をなす補強用の補強シート部材１２が接着されている。この補強シート部材１２が補強部となっている。
【００２６】
このようにすることで、各基準辺６，７が補強シート部材１２により補強されて花包装材１ｂが破れにくくなり、かつ花束Ｆを包装する際に、基準辺６，７にこしを持たせて、基準辺６，７同士を重ね合わせ易くなる。尚、本実施例では、両基準辺６，７に補強シート部材１２が設けられているが、いずれか一方の基準辺に補強シート部材１２を設けるようにしてもよい。
【実施例４】
【００２７】
次に、実施例４に係る花包装材１ｃにつき、図５から図６を参照して説明する。尚、図５の紙面手前側が花包装材１ｃの裏面側として説明する。図５に示すように、実施例４の花包装材１ｃは、切欠辺５の対角線上の角部は、ラウンドされた形状のラウンド部１３に形成されている。このラウンド部１３は、２つの開口辺８の間に設けられる。
【００２８】
このようにすることで、図６に示すように、花束Ｆを包装したときにラウンド部１３及び２つの開口辺８で形成される開口縁部１０ｃの形状を略円形状にすることができる。尚、このラウンド部１３及び２つの開口辺８が、花束Ｆの花びら部Ｆａを装飾する装飾辺となっており、花びら部Ｆａの周囲に装飾辺８，１３が配置されて花束Ｆを見栄えよく包装できる。
【実施例５】
【００２９】
次に、実施例５に係る花包装材１ｄにつき、図７から図８を参照して説明する。尚、図７の紙面手前側が花包装材１ｄの裏面側として説明する。図７に示すように、両基準辺６，７の間においける切欠辺５の対角側には、花束Ｆを包装したときに開口縁となる開口辺８ｄが設けられおり、この開口辺８ｄが全体的に略波形状に形成されている。
【００３０】
このようにすることで、図８に示すように、花束Ｆを包装したときに略波形状の開口辺８ｄで形成される開口縁部１０ｄの形状を略波形状にすることができる。尚、この開口辺８ｄが、花束Ｆの花びら部Ｆａを装飾する装飾辺となっており、花びら部Ｆａの周囲に装飾辺８ｄが配置されて花束Ｆを見栄えよく包装できる。
【実施例６】
【００３１】
次に、実施例６に係る花包装材１ｅにつき、図９から図１０を参照して説明する。尚、図９の紙面手前側が花包装材１ｅの裏面側として説明する。図９に示すように、両基準辺６，７の間においける切欠辺５の対角側には、ラウンドされた形状の２つのラウンド部１４が形成されている。この両ラウンド部１４は、２つの開口辺８の間に設けられる。
【００３２】
このようにすることで、図１０に示すように、花束Ｆを包装したときにラ２つのウンド部１４及び２つの開口辺８で形成される開口縁部１０ｅの形状を略ハート形状にすることができる。尚、この２つのラウンド部１４及び２つの開口辺８が、花束Ｆの花びら部Ｆａを装飾する装飾辺となっており、花びら部Ｆａの周囲に装飾辺８，１４が配置されて花束Ｆを見栄えよく包装できる。
【００３３】
以上、本発明の実施例を図面により説明してきたが、具体的な構成はこれら実施例に限られるものではなく、本発明の要旨を逸脱しない範囲における変更や追加があっても本発明に含まれる。
【００３４】
例えば、前記実施例では、透明なプラスチィックフィルムを用いて花包装材１を形成しているが、半透明なプラスチィックフィルムを用いて花包装材１を形成してもよいし、紙材等の材質を用いて花包装材１を形成してもよい。
【００３５】
また、前記実施例では、少なくとも一方の基準辺６に接着剤２が設けられているが、両方の基準辺６，７に接着剤を設けるようにしてもよい。
【００３６】
また、前記実施例では、花束Ｆを包装するために花包装材１を用いているが、花束Ｆのみならず、花束Ｆに類似の形状をなす棒状の野菜や棒状のお菓子や棒状のパン等の棒状物を包装するために花包装材１を用いることもできる。
【符号の説明】
【００３７】
１、１ａ、１ｂ    花包装材
１ｃ、１ｄ、１ｅ  花包装材
２                接着剤
３                剥離剤
４                折畳部
５                切欠辺
６                第１基準辺
７                第２基準辺
８、８ｄ          開口辺
９                開口部
１０、１０ｃ      開口縁部
１０ｄ、１０ｅ    開口縁部
１１              剥離シール
１２              補強シート部材
１３、１４        ラウンド部
【図１】
2011225271.tif 000003
【図２】
2011225271.tif 000004
【図３】
2011225271.tif 000005
【図４】
2011225271.tif 000006
【図５】
2011225271.tif 000007
【図６】
2011225271.tif 000008
【図７】
2011225271.tif 000009
【図８】
2011225271.tif 000010
【図９】
2011225271.tif 000011
【図１０】
2011225271.tif 000012